(57)【要約】【課題】どのポートにどの機器が接続されているかを極めて容易に確認可能とする。【解決手段】各ポートＰｉのそれぞれに多色表示可能な表示素子ＬＡｉを設け、これら表示素子ＬＡｉを駆動制御する表示制御回路１５が、各ポートＰｉに接続されている機器２０と対応する指定色を表示素子ＬＡｉの表示色として特定する。【選択図】  図１
2019193188.tif 000002
【特許請求の範囲】
【請求項１】
機器を接続する複数のポートと、
前記複数のポートのそれぞれに設けられた多色表示可能な表示素子と、
前記複数のポートに接続された機器に関する機器情報に基づいて、それぞれのポートに設けられた前記表示素子を駆動制御する表示制御回路とを備え、
前記表示制御回路は、前記複数のポートのそれぞれに接続されている機器と対応する指定色を前記表示素子の表示色として特定する
ことを特徴とするスイッチングハブ。
【請求項２】
請求項１に記載のスイッチングハブにおいて、
前記機器のＭＡＣアドレスと当該機器が接続されているポートの対応関係を示すＭＡＣアドレステーブルと、前記機器のＭＡＣアドレスと当該機器に関する指定色との対応関係を示す色指定テーブルと記憶する記憶回路をさらに備え、
前記表示制御回路は、前記ＭＡＣアドレステーブルから前記表示素子のポートに接続されている機器のＭＡＣアドレスを取得した後、前記色指定テーブルから当該ＭＡＣアドレスと対応する指定色を、前記機器の指定色として特定する
ことを特徴とするスイッチングハブ。
【請求項３】
機器を接続する複数のポートを有するスイッチングハブで用いられて、前記複数のポートのそれぞれに設けられた多色表示可能な表示素子を駆動制御する際に用いられる表示制御方法であって、
表示制御回路が、前記複数のポートに接続された機器に関する機器情報に基づいて、それぞれのポートに設けられた前記表示素子を駆動制御する駆動制御ステップと、
前記表示制御回路が、前記複数のポートのそれぞれに接続されている機器と対応する指定色を前記表示素子の表示色として特定する表示色特定ステップと
を備えていることを特徴とする表示制御方法。
【請求項４】
請求項３に記載の表示制御方法において、
記憶回路が、前記機器のＭＡＣアドレスと当該機器が接続されているポートの対応関係を示すＭＡＣアドレステーブルと、前記機器のＭＡＣアドレスと当該機器に関する指定色との対応関係を示す色指定テーブルと記憶する記憶ステップをさらに備え、
前記表示色特定ステップは、前記ＭＡＣアドレステーブルから前記表示素子のポートに接続されている機器のＭＡＣアドレスを取得した後、前記色指定テーブルから当該ＭＡＣアドレスと対応する指定色を、前記機器の指定色として特定するステップを含む
ことを特徴とする表示制御方法。
【発明の詳細な説明】
【技術分野】
【０００１】
本発明は、スイッチングハブで機器の接続状態や通信状態に関する機器情報を表示するための表示制御技術に関する。
【背景技術】
【０００２】
従来、ＬＢＮなどの通信ネットワークで用いられるスイッチングハブとして、機器の接続状態や通信状態に関する機器情報を、各ポートの表示素子で表示する技術が提案されており（例えば、特許文献１−３など参照）、具体的には、機器接続あり／なし、通信速度、通信トラフィック量、通信エラー情報、特定パケット情報などの機器情報が表示される。これにより、メンテナンス時、作業者がスイッチングハブの状態を容易に確認することができる。
【先行技術文献】
【特許文献】
【０００３】
【特許文献１】特開２０１６−２２００６４号公報
【特許文献２】特開２００５−２３６９０８号公報
【特許文献３】特開２０１５−１９８３１０号公報
【発明の概要】
【発明が解決しようとする課題】
【０００４】
しかしながら、このような従来技術では、スイッチングハブに接続されている機器の接続状態や通信状態に関する機器情報を確認できるものの、実際にどのポートにどの機器が接続されているか確認できないという問題点があった。
【０００５】
一般に、複数の機器が接続されているスイッチングハブにおいて、機器の交換や修理などのメンテナンスを行う場合、対象となる機器のケーブルをスイッチングハブから抜く必要がある。この際、どのポートに接続されているケーブルを抜けばいいかを特定する主な方法として、方法１：作業者がケーブルを目視でたどる方法、方法２：機器側での操作（ＯＮ／ＯＦＦなど）によるスイッチングハブのＬＥＤ表示状態の変化で確認する方法、方法３：専用ツールを用いて通信状態を確認する方法、方法４：監視ＰＣなどの端末装置から専用ソフトを用いてポート接続情報を確認する方法がある。
【０００６】
しかし、方法１については、作業現場によっては、ケーブルを目視でたどれない場合がある。方法２については、機器の設置場所とスイッチングハブの設置場所との間を作業者が行き来する必要があり、作業効率が悪く、工数増大の原因となる。方法３については、専用ツールを作業現場まで持ち運ぶ必要があり、手軽に確認することができないだけでなく、作業現場によっては専用ツールをスイッチングハブに接続できない場合もある。方法４については、監視ＰＣのＯＳなどの条件で専用ソフトを導入できない場合や、専用ソフトの導入コストも必要となる。
【０００７】
本発明はこのような課題を解決するためのものであり、スイッチングハブのどのポートにどの機器が接続されているかを極めて容易に確認できる表示制御技術を提供することを目的としている。
【課題を解決するための手段】
【０００８】
このような目的を達成するために、本発明にかかるスイッチングハブは、機器を接続する複数のポートと、前記複数のポートのそれぞれに設けられた多色表示可能な表示素子と、前記複数のポートに接続された機器に関する機器情報に基づいて、それぞれのポートに設けられた前記表示素子を駆動制御する表示制御回路とを備え、前記表示制御回路は、前記複数のポートのそれぞれに接続されている機器と対応する指定色を前記表示素子の表示色として特定するようにしたものである。
【０００９】
また、本発明にかかる上記スイッチングハブの一構成例は、前記機器のＭＡＣアドレスと当該機器が接続されているポートの対応関係を示すＭＡＣアドレステーブルと、前記機器のＭＡＣアドレスと当該機器に関する指定色との対応関係を示す色指定テーブルと記憶する記憶回路をさらに備え、前記表示制御回路は、前記ＭＡＣアドレステーブルから前記表示素子のポートに接続されている機器のＭＡＣアドレスを取得した後、前記色指定テーブルから当該ＭＡＣアドレスと対応する指定色を、前記機器の指定色として特定するようにしたものである。
【００１０】
また、本発明にかかる表示制御方法は、機器を接続する複数のポートを有するスイッチングハブで用いられて、前記複数のポートのそれぞれに設けられた多色表示可能な表示素子を駆動制御する際に用いられる表示制御方法であって、表示制御回路が、前記複数のポートに接続された機器に関する機器情報に基づいて、それぞれのポートに設けられた前記表示素子を駆動制御する駆動制御ステップと、前記表示制御回路が、前記複数のポートのそれぞれに接続されている機器と対応する指定色を前記表示素子の表示色として特定する表示色特定ステップとを備えている。
【００１１】
また、本発明にかかる上記表示制御方法の一構成例は、記憶回路が、前記機器のＭＡＣアドレスと当該機器が接続されているポートの対応関係を示すＭＡＣアドレステーブルと、前記機器のＭＡＣアドレスと当該機器に関する指定色との対応関係を示す色指定テーブルと記憶する記憶ステップをさらに備え、前記表示色特定ステップは、前記ＭＡＣアドレステーブルから前記表示素子のポートに接続されている機器のＭＡＣアドレスを取得した後、前記色指定テーブルから当該ＭＡＣアドレスと対応する指定色を、前記機器の指定色として特定するステップを含むものである。
【発明の効果】
【００１２】
本発明によれば、各ポートの表示素子が、予め設定しておいた各機器の指定色で駆動制御されることになる。したがって、表示素子の表示色を目視で確認するだけで、どのポートにどの機器が接続されているかを極めて容易に確認することが可能となる。
【図面の簡単な説明】
【００１３】
【図１】スイッチングハブの構成を示すブロック図である
【図２】スイッチングハブの正面図である。
【図３】ＭＡＣアドレステーブルの構成例である。
【図４】色指定テーブルの構成例である。
【図５】表示色特定処理を示すフローチャートである。
【発明を実施するための形態】
【００１４】
次に、本発明の実施の形態について図面を参照して説明する。
［第１の実施の形態］
まず、図１を参照して、本発明の第１の実施の形態にかかるスイッチングハブ１０について説明する。図１は、スイッチングハブの構成を示すブロック図である。
このスイッチングハブ１０は、ＬＢＮなどの通信ネットワークで用いられる一般的なスイッチングハブからなり、主な回路部として、通信Ｉ／Ｆ回路１１、表示回路１２、記憶回路１３、通信制御回路１４、および表示制御回路１５を備えている。これら回路部は、バスＢを介してデータやり取り可能に接続されている。
【００１５】
通信Ｉ／Ｆ回路１１は、ケーブルを介して機器２０を接続するためのｎ（ｎは２以上の整数）個のポートＰ１，Ｐ２，…，Ｐｎを有し、機器２０間におけるデータ通信を中継処理する機能を有している。
【００１６】
表示回路１２は、ポートＰ１，Ｐ２，…，Ｐｎごとに設けられた、多色ＬＥＤなどの表示素子ＬＡ１，ＬＡ２，…，ＬＡｎと表示素子ＬＢ１，ＬＢ２，…，ＬＢｎを有し、各ポートＰｉ（ｉ＝１〜ｎの整数）に対する機器２０の接続状態や通信状態に関する情報を表示する機能を有している。
図２は、スイッチングハブの正面図である。ここでは、８個のポート（ｎ＝８）を有する例が示されており、各ポートＰ１，Ｐ２，…，Ｐ８には、表示素子ＬＡ１，ＬＡ２，…，ＬＡｎと表示素子ＬＢ１，ＬＢ２，…，ＬＢｎがそれぞれ設けられている。
【００１７】
本実施の形態では、表示素子ＬＡ１，ＬＡ２，…，ＬＡｎにおいて、機器２０と対応する指定色を点灯表示する場合を例として説明する。また、本実施の形態では、表示素子ＬＢ１，ＬＢ２，…，ＬＢｎにおいて、接続状態や通信状態を色別で表示する。例えば、機器２０の通信速度が１００Ｍｂｐｓの場合にはＬＢｉを橙色で表示し、１Ｇｂｐｓの場合にはＬＢｉを緑色で表示する。また、機器２０が通信中の場合にはＬＢｉを点滅表示し、リンク中の場合にはＬＢｉを点灯表示し、リンクなしの場合にはＬＢｉを消灯する。なお、機器２０の接続状態や通信状態を、色別ではなく点滅パターンや明るさなどを切り替えて表示することにより、ＬＡｉ，ＬＢｉを１つの表示素子で兼用してもよい。
【００１８】
記憶回路１３は、半導体メモリなどの記憶装置からなり、スイッチングハブ１０の処理動作に用いる各種の処理データを記憶する機能を有している。
記憶回路１３で記憶する主な処理データとして、ＭＡＣアドレステーブル１３Ａと色指定テーブル１３Ｂがある。
【００１９】
ＭＡＣアドレステーブル１３Ａは、それぞれのポートＰｉに接続されている機器２０のＭＡＣアドレス（Media Access Control address）とポート番号ｉとの対応関係を示すデータである。図３は、ＭＡＣアドレステーブルの構成例である。ここでは、機器２０のＭＡＣアドレスとポート番号ｉとの対応関係がそれぞれ登録されている。例えば、ＭＡＣアドレス「aa-bb-cc-00-00-00-01」，「aa-bb-cc-00-00-00-02」，「aa-bb-cc-00-00-00-03」，「aa-bb-cc-00-00-00-99」，「aa-bb-cc-00-00-00-01」には、ポート番号「１」，「４」，「６」，「３」がそれぞれ対応付けられている。
【００２０】
任意のポートＰｉに機器２０が接続された場合、通信制御回路１４により機器２０からのメッセージに含まれるＭＡＣアドレスが抽出されて、ＭＡＣアドレスとポート番号ｉとの対応関係がＭＡＣアドレステーブル１３Ａに登録される。また、任意のポートＰｉから機器２０が切り離された場合、通信制御回路１４によりその機器２０の対応関係がＭＡＣアドレステーブル１３Ａから削除される。
【００２１】
色指定テーブル１３Ｂは、機器２０のＭＡＣアドレスと表示素子ＬＡｉの表示色との対応関係を示すデータである。色指定テーブル１３Ｂについては、スイッチングハブ１０とデータ通信可能なＰＣ（図示せず）で作成し、ＰＣからスイッチングハブ１０の記憶回路１３へ予め登録しておけばよい。図４は、色指定テーブルの構成例である。ここでは、機器２０のＭＡＣアドレスと表示素子ＬＡｉの指定色との対応関係がそれぞれ登録されている。例えば、ＭＡＣアドレス「aa-bb-cc-00-00-00-01」，「aa-bb-cc-00-00-00-02」，「aa-bb-cc-00-00-00-03」，「aa-bb-cc-00-00-00-99」，「aa-bb-cc-00-00-00-01」には、指定色「赤」，「緑」，「黄」，「青」がそれぞれ対応付けられている。
【００２２】
通信制御回路１４は、記憶回路１３のＭＡＣアドレステーブル１３Ａに基づいて、通信Ｉ／Ｆ回路１１での中継処理を制御する機能と、通信Ｉ／Ｆ回路１１に接続されている各機器２０の接続状態や通信状態に関する機器情報を管理する機能を有している。
【００２３】
表示制御回路１５は、通信制御回路１４で管理する機器情報に基づいて、表示回路１２の各表示素子ＬＡｉ，ＬＢｉを駆動制御する機能と、各ポートＰｉのそれぞれに接続されている機器２０と対応する指定色で表示素子ＬＡｉを駆動制御する機能と、記憶回路１３のＭＡＣアドレステーブル１３Ａと色指定テーブル１３Ｂに基づいて、各表示素子ＬＡｉの表示色を特定する機能とを有している。
【００２４】
［第１の実施の形態の動作］
次に、図５を参照して、本実施の形態にかかるスイッチングハブ１０の動作について説明する。図５は、表示色特定処理を示すフローチャートである。
スイッチングハブ１０の表示制御回路１５は、任意の指定ポートＰｉの表示素子ＬＡｉ，ＬＢｉを駆動制御して、指定ポートＰｉに接続されている機器２０の接続状態や通信状態に関する情報を表示する際、表示素子ＬＡｉの表示色を特定するため、図５の表示色特定処理を実行する。
【００２５】
なお、表示素子ＬＡｉの表示色は、ＭＡＣアドレステーブル１３Ａまたは色指定テーブル１３Ｂが更新されない限り変化しない。このため、表示制御回路１５が、ＭＡＣアドレステーブル１３Ａまたは色指定テーブル１３Ｂの更新があった場合、図５の表示色特定処理を実行して各表示素子ＬＡｉの表示色を特定し、得られた特定結果を記憶回路１３の表示色テーブルに登録しておき、表示素子ＬＡｉを駆動する際、表示色テーブルの表示色に基づいて表示素子ＬＡｉを駆動するようにしてもよい。
【００２６】
図５に示すように、まず、表示制御回路１５は、指定ポートＰｉのポート番号ｉに基づいて、ＭＡＣアドレステーブル１３Ａから指定ポートＰｉに接続されている機器２０のＭＡＣアドレスを取得する（ステップＳ１００）。
次に、表示制御回路１５は、取得した機器２０のＭＡＣアドレスに基づいて、色指定テーブル１３Ｂから指定ポートＰｉに接続されている機器２０の指定色を取得し（ステップＳ１０１）、得られた指定色を指定ポートＰｉの表示素子ＬＡｉで用いる表示色として特定する（ステップＳ１０２）。
【００２７】
したがって、例えばＭＡＣアドレステーブル１３Ａが図３に示した設定内容であり、色指定テーブル１３Ｂが図４に示した設定内容である場合、ポートＰ１に接続されている機器２０のＭＡＣアドレスは、ＭＡＣアドレステーブル１３Ａから「aa-bb-cc-00-00-00-01」であると特定され、このＭＡＣアドレス「aa-bb-cc-00-00-00-01」の指定色は、色指定テーブル１３Ｂから「赤」であると特定されるため、Ｐ１の表示素子ＬＡ１の表示色は「赤」であると特定される。これにより、ＬＡ１は、ポートＰ１に接続されている機器２０の指定色「赤」で点灯表示される。
【００２８】
また、ポートＰ３に接続されている機器２０のＭＡＣアドレスは、ＭＡＣアドレステーブル１３Ａから「aa-bb-cc-00-00-00-99」であると特定され、このＭＡＣアドレス「aa-bb-cc-00-00-00-99」の指定色は、色指定テーブル１３Ｂから「青」であると特定されるため、Ｐ３の表示素子ＬＡ３の表示色は「青」であると特定される。これにより、ＬＡ３は、ポートＰ３に接続されている機器２０の指定色「青」で点灯表示される。
【００２９】
［本実施の形態の効果］
このように、本実施の形態は、各ポートＰｉのそれぞれに多色表示可能な表示素子ＬＡｉを設け、これら表示素子ＬＡｉを駆動制御する表示制御回路１５が、各ポートＰｉに接続されている機器２０と対応する指定色を表示素子ＬＡｉの表示色として特定するようにしたものである。
これにより、各ポートＰｉの表示素子ＬＡｉが、予め設定しておいた各機器２０の指定色で駆動制御されることになる。したがって、表示素子ＬＡｉの表示色を目視で確認するだけで、どのポートＰｉにどの機器２０が接続されているかを極めて容易に確認することが可能となる。
【００３０】
また、本実施の形態において、記憶回路１３で、機器２０のＭＡＣアドレスと当該機器２０が接続されているポートＰｉの対応関係を示すＭＡＣアドレステーブル１３Ａと、機器２０のＭＡＣアドレスと当該機器２０に関する指定色との対応関係を示す色指定テーブル１３Ｂと記憶しておき、表示制御回路１５が、ＭＡＣアドレステーブル１３Ａから表示素子ＬＡｉのポートＰｉに接続されている機器２０のＭＡＣアドレスを取得した後、色指定テーブル１３Ｂから当該ＭＡＣアドレスと対応する機器２０の指定色を、表示素子ＬＡｉの表示色として特定するようにしてもよい。
【００３１】
これにより、ＭＡＣアドレステーブル１３Ａ自体は、スイッチングハブ１０が元々備えているテーブルであることから、各機器２０の指定色を機器２０のＭＡＣアドレスと対応付けて色指定テーブル１３Ｂに登録するだけでよい。したがって、各機器２０に任意の指定色を容易に対応付けることが可能となる。
【００３２】
［実施の形態の拡張］
以上、実施形態を参照して本発明を説明したが、本発明は上記実施形態に限定されるものではない。本発明の構成や詳細には、本発明のスコープ内で当業者が理解しうる様々な変更をすることができる。また、各実施形態については、矛盾しない範囲で任意に組み合わせて実施することができる。
【符号の説明】
【００３３】
１０…スイッチングハブ、１１…通信Ｉ／Ｆ回路、１２…表示回路、１３…記憶回路、１４…通信制御回路、１５…表示制御回路、２０…機器、Ｐｉ，Ｐ１，Ｐ２，Ｐ３，Ｐｎ…ポート、ＬＡｉ，ＬＡ１，ＬＡ２，ＬＡ３，ＬＡｎ，ＬＢｉ，ＬＢ１，ＬＢ２，ＬＢ３，ＬＢｎ…表示素子。
【図１】
2019193188.tif 000003
【図２】
2019193188.tif 000004
【図３】
2019193188.tif 000005
【図４】
2019193188.tif 000006
【図５】
2019193188.tif 000007